(57)【要約】【課題】連結具で上下に連結される表示ユニットを、上下方向に容易に組み立て可能な映像表示装置を提供する。【解決手段】箱体状の表示ユニット１を、複数台、上下（縦）方向に連結するために、表示ユニット１の上面側には連結ピン３１を突出させて設け、この連結ピン３１に対応するように、相手側表示ユニット１の下部に係合片３２２を備えたものである。連結ピン３１には、その中央部の軸回りに溝３１ａを設けるとともに、係止片３２２は連結ピン３１の溝３１ａに嵌合可能な板厚を有し、係合ピン３１の挿入に際し、ばね部材であるコイルばね３２２ｃに抗して移動しつつ前記係合ピン３１を貫通させるので、重ね合わせ操作のみで、作業員は、上下表示ユニット１，１を容易に連結して映像表示装置を組み立てることができる。【選択図】      図３
2004354570.tif 000002
【特許請求の範囲】
【請求項１】
多数の表示素子を前面に配列した箱体状の表示ユニットを、連結具を介して、少なくとも上下方向に複数台連結して構成される映像表示装置において、
前記表示ユニットの上面に突出して設けられ、中間部の軸回りに溝を設けた係合ピンと、
前記表示ユニットの上に連結される相手側表示ユニットの下部に設けられ、前記溝に嵌合可能な板厚を有し、前記係合ピンの挿入に際し、水平方向に移動しつつ前記係合ピンを貫通させる係止孔を備えた係止片と、
この係止片の前記水平方向への移動を抑制するように付勢するばね部材と
を具備することを特徴とする映像表示装置。
【請求項２】
前記ばね部材のばね圧に抗して前記係止片を前記移動方向に押し込み可能に構成されたカム機構を有することを特徴とする請求項１に記載の映像表示装置。
【請求項３】
前記カム機構は、前記係止片を前記移動方向に押し込んだとき、カムの突端が係止片の先端部に形成された凹部に嵌り込むように構成されたことを特徴とする請求項２に記載の映像表示装置。
【請求項４】
前記表示ユニットは、左右に隣接する他の表示ユニットとの連結機構を設けたことを特徴とする請求項１ないし請求項３のうちのいずれか１項に記載の映像表示装置。
【発明の詳細な説明】
【０００１】
【発明の属する技術分野】
本発明は、多数の表示素子を前面に配列した表示ユニットを、少なくとも上下方向に複数台連結して構成し得る映像表示装置の改良に関する。
【０００２】
【従来の技術】
しばしば目にするように、屋内外の競技場や各種イベント会場、あるいは繁華街等に面した建物の外壁面（ビルボード）等には、ＬＥＤ（発光ダイオード）等の表示素子を多数配置して表示画面（ディスプレイ）を構成した映像表示装置が据え付けられる。
【０００３】
これら映像表示装置は、競技場やビル等の建造物そのものに恒久的に設置されたり、また各地のイベント会場等で都度組み立て使用されたり、あるいは可搬式に大型車両の荷台に搭載されて使用され、宣伝広告のための表示や客に対する案内表示、あるいは視聴者に対するテレビジョン画像の表示等が行われ、Ｒ（赤）Ｇ（緑）Ｂ（青）の点灯制御により、いわゆるフルカラー表示を可能とするものが多い。
【０００４】
映像表示装置は、箱体状の表示ユニットを上下左右へつなぎ合わせて組み立てられて構成されるが、組み立て構成された表示ユニット間に歪みや変形が生じることなく、全体として高品質な表示画面を形成することが要求される。
【０００５】
そこで、もしも１個の表示ユニットの重さが比較的軽量で、しかもそれ自体で大きな表示画面を得ることができれば、大型の映像表示装置といえども、表示ユニットの組み立て個数は少なくて済み、作業員も容易に組み立てることができる。
【０００６】
しかしながら、実際にＬＥＤ等を表示素子とした映像表示装置等では、表示画面の大型化に比例して重量も大となり、組み立てられる表示ユニット１個の重さも例えば３０ｋｇ前後に達してしまうことが多い。
【０００７】
表示素子としてＬＥＤを採用して映像表示装置を形成する表示ユニットは、図６及び図７に示すように、表示素子１１ａをマトリクス状に多数配列した小型の表示パネル１１を複数個（図６及び図７では６個）組み込み配置して構成される。
【０００８】
図６は従来の表示ユニット１の一部分解斜視図、また図７は図６に示した表示ユニット１を背面側から見た斜視図である。
【０００９】
すなわち、表示ユニット１は、複数個の表示パネル１１が前枠１２に嵌め込まれ、前枠１２は複数本の支柱１３を介して後枠１４に連結固定されている。複数本の支柱１３の内、中間段の左右の支柱１３間には、補強も兼ねた補助支柱１３ａが差し渡されている。
【００１０】
また、最下段の支柱１３及び前枠１２と後枠１４との間には、下方に連結される他の相手側表示ユニット１との連結用をも兼ねた脚部材１５が嵌め込み固定されている。
【００１１】
図７にも示したように、後枠１４は、枠体１４１とその枠体１４１に設けられた開閉扉１４２とで構成され、開閉扉１４２の内側には、表示素子１１ａを駆動制御する制御部１６等が取り付けられている。
【００１２】
また、支柱１３や補助支柱１３ａ、並びに脚部材１５には、上下左右に連結される相手側表示ユニット１との連結用に、いわゆる捻り動作機構を採用した連結具２が取り付け固定されている。
【００１３】
連結具２は、可動部２１と係止部２２とが対をなして構成され、連結される表示ユニット１の一方に、可動部２１または係止部２２のいずれか一方がそれぞれ取り付けられ、上下左右の各相手側表示ユニット１，１との間で嵌脱自在となるように構成されている（例えば、特許文献１参照）。
【００１４】
もっとも、表示ユニット１，１間の連結には、連結具２に代えて、ボルトとナット等を用いて、隣接する表示ユニットの支柱間を位置決め固定することも行われる。
【００１５】
図８は、連結具２により、上下左右に多数の表示ユニット１が連結されて大型スクリーンを形成した映像表示装置の一部正面図を示したものである。
【００１６】
【特許文献１】
特開２００１−３５０４３４号公報
【００１７】
【発明が解決しようとする課題】
上記のように従来の映像表示装置では、表示ユニット間を連結する連結機構として、連結具が隣接する各支柱や補助支柱、あるいは脚部材との間に渡着するように取り付けられるか、あるいは隣接する表示ユニットの支柱同士をボルト締めにより固定したりする構成が採用されている。
【００１８】
しかしながら、一つの表示ユニットは、重量が３０ｋｇ程度にも達して重いので、作業員が表示ユニットを精度良く積み重ねて連結するのは容易でなく、映像表示装置の組み立てや解体の作業に多くの手間を要したので改善が要望されていた。
【００１９】
そこで、本発明は、特に上下方向への表示ユニットの連結が容易な映像表示装置を提供することを目的とする。
【００２０】
【課題を解決するための手段】
上記従来の課題を解決するために、本発明は、多数の表示素子を前面に配列した箱体状の表示ユニットを、連結具を介して、少なくとも上下方向に複数台連結して構成される映像表示装置において、前記表示ユニットの上面に突出して設けられ、中間部の軸回りに溝を設けた係合ピンと、前記表示ユニットの上に連結される相手側表示ユニットの下部に設けられ、前記溝に嵌合可能な板厚を有し、前記係合ピンの挿入に際し、水平方向に移動しつつ前記係合ピンを貫通させる係止孔を備えた係止片と、この係止片の前記水平方向への移動を抑制するように付勢するばね部材とを具備することを特徴とする。
【００２１】
このように、本発明の映像表示装置によれば、軸回りに溝を設けた係合ピンを表示ユニットの上面から突出させ、対向位置に位置する相手側表示ユニットの下部には、移動しつつ前記係合ピンを貫通させる係止孔を備えた係止片と、移動を抑制するばね部材とを設けたので、ばね部材のばね圧に抗した係合ピンの挿入動作により、係止片は自動的に係合ピンの溝に嵌り込みロックされる。
【００２２】
従って、作業員は、係合ピン位置と係止孔位置との間の位置合わせを行い、上下表示ユニットの重ね合わせ操作だけで、上下間の表示ユニットを適切かつ確実に連結固定することができる。
【００２３】
【発明の実施の形態】
以下、本発明による映像表示装置の一実施の形態を、図１ないし図５を参照して詳述する。なお、図６ないし図８に示した従来の構成と同一構成には同一符号を付して、詳細な説明は省略する。
【００２４】
図１は本発明の映像表示装置の一実施の形態を示した一部分解斜視図で、図２はその映像表示装置を背後側から見た要部斜視図である。ただし、図２には上下方向に連なる２個の表示ユニットのみを示し、他の表示ユニットは省略して示している。
【００２５】
図１及び図２に示すように、上下方向に連結される各表示ユニット１は、筐体１７の前面に、多数のＬＥＤ等の表示素子１１ａを配置した複数個（この実施の形態では６個）の表示パネル１１が組み込み配列されている。なお、表示素子１１ａを駆動制御する制御部１６は、図２に示した開閉扉１７ａの内側面に取り付け固定されている。
【００２６】
表示ユニット１を上下方向に連結するために、筐体１７の上板１７１には、連結具３を構成する連結ピン３１が植立され、この連結ピン３１を受けて上下表示ユニット１，１を着脱自在に連結する係止部３２が、相手側筐体１７の底部に組み込まれている。
【００２７】
連結具３を形成した連結ピン３１及び係止部３２の構成、及びその機能を図３に示した分解斜視図、並びに図４及び図５に示した要部側面図を参照して説明する。
【００２８】
図３に示すように、（下方の表示ユニット１の）上板１７１に設けられた連結ピン３１は、中央部に、軸回りの溝３１ａによる径小部が形成されている。
【００２９】
一方、連結ピン３１と嵌脱自在に連結される（上方の相手側表示ユニット１の）係止部３２は、筐体１７の底板１７２の内側に組み込まれ、連結ピン３１が挿入される位置の底板１７２には貫通孔１７２ａが形成されている。
【００３０】
係止部３２は、枠体３２１と、この枠体３２１内で水平方向にスライドするように、移動自在に組み込まれた係止片３２２とで構成され、枠体３２１の上蓋部には連結ピン３１を挿脱自在な貫通孔３２１ａが設けられている。
【００３１】
また、係止片３２２は、連結ピン３１に形成された溝３１ａに嵌まり込む板厚を有し、係止片３２２には、下方に広がるようにテーパ部を形成したやや径小の孔とこの径小の孔を含んで、矢印Ｘで示す移動方向に連なるように形成された径大の孔とからなる瓢箪状の係止孔３２２ａが形成されている。
【００３２】
すなわち、係止片３２２は、貫通孔１７２ａを介して連結ピン３１が係止孔３２２ａの径小の孔内に挿入されたとき、移動しつつ連結ピン３１を径大な孔内に誘導して連結ピン３１を貫通させるように構成されている。
【００３３】
また、係止片３２２の移動方向の後端面（図示、右手方向）には、図示のように、一対のピン３２２ｂがスライド方向に向けて突出して設けられ、このピン３２２ｂはばね部材であるコイルばね３２２ｃの中を遊挿するように構成されている。
【００３４】
また、係止片３２２のピン３２２ｂは、コイルばね３２２ｃを枠体３２１の中に位置させた状態で、枠体３２１の後端面に取り付けられる止め板３２３の貫通孔３２３ａ内を遊挿可能に形成されている。
【００３５】
枠体３２１の前端面（図示、左手方向）には、カム３２４が、その軸３２４ａを介して支持ブロック３２４ｂに回動自在に取り付けられ、このカム３２４は係止片３２２の前方に突き出た突出部３２２ｄと接触し、回転するカム３２４の原節に対し、係止片３２２が従節として作用するように構成されている。なお、軸３２４ａの一端部は、図示しないが表示ユニット１の背面側に露出し、作業員が、その露出した軸３２４ａの端部に形成されたスリット３４２ａａに、例えばマイナスドライバ等を嵌め込み操作することでカム３２４を回動させることができる。
【００３６】
なお、図３において、枠体３２１はボルト３２１ｂ及びナット３２１ｃにより底板１７２に取り付け固定され、支持ブロック３２４ｂはねじ３２４ｃにより、また止め板３２３はねじ３２３ｂによりそれぞれ枠体３２１に取り付け固定される。
【００３７】
以上説明の連結具３の構成により、連結ピン３１が貫通孔１７２ａを介して係止部３２に押し込まれるように挿入されると、連結ピン３１はコイルばね３２２ｃに抗しつつ係止片３２２を後方に移動させながら進入する。
【００３８】
なお、この実施の形態では、鋭角化された連結ピン３１の頭部形状と、この連結ピン３１を受け入れる係止片３２２のテーパ部形状との関係を、図４に示したように、連結ピン３１の鉛直軸から傾斜させたテーパ角度θを約２７度に、係止片３２２の同じくテーパ部における角度αを約３０度になるように形成した。その結果、連結ピン３１を、コイルばね３２２ｃに抗しつつ、係止片３２２の係止孔３２２ａ内に円滑に挿入させることができる。
【００３９】
係止片３２２におけるテーパ部の角度αを約３０度とし、連結ピン３１のテーパ角度θを２７度より小さな角度（例えば２５度）とすると、それだけ挿入可能領域が狭まってしまうので挿入動作の安定性が失われ、また反対にテーパ角度θを２７度より大きく（例えば２９度）に広げると、挿入時に必要な滑りが得られず、安定した嵌合動作が得られない恐れがある。
【００４０】
いずれにしても、連結ピン３１が係止部３２に嵌り込んだ状態では、コイルばね３２２ｃに付勢された係止片３２２が前方に押し込まれるので、連結ピン３１の溝３１ａに係止片３２２の径小部分の係止孔３２２ａが嵌り込みロックされ、上下各表示ユニット１，１は連結され安定する。図５（ａ）は、連結ピン３１の溝３１ａに係止片３２２における径小部分の係止孔３２２ａが嵌り込んでロックされた状態を示した右側面図である。
【００４１】
次に、作業員が、軸３２４ａを操作し、カム３２４を時計回り方向に９０度回動させると、カム３２４は、コイルばね３２２ｃに抗しつつ係止片３２２を後方（図示右方向）にスライドさせるので、連結ピン３１は、係止孔３２２ａ内の径大部分に移動する。
【００４２】
その結果、連結ピン３１は係止孔３２２ａから引き抜き可能となり、下表示ユニット１を相手側の上表示ユニット１から離脱させることができる。
【００４３】
図５（ｂ）は、カム３２４の９０度回動により、連結ピン３１が係止孔３２２ａの径大部分に位置し、下表示ユニットを上表示ユニットから離脱させることができる状態を示した右側面図である。
【００４４】
なお、図３にも示したように、突出部３２２ｄの先端端面に、回動したカム３２４の突端部が嵌り得るようにＲ状の（丸みを有する）凹部を設けたので、図５（ｂ）に示したカム３２４の回動動作に伴う、カム３２４による係止片３２２の押し込み操作では、カム３２４の突端が、コイルばね３２２ｃに抗しつつ凹部に嵌り込み安定する。従って、作業員は、連結ピン３１の係止部３２からの引き抜き操作を、安定した状態で容易に行うことができる。
【００４５】
上記説明は、連結具３により、上下間の表示ユニット１，１を嵌脱可能に構成されたことを説明したものであるが、この実施の形態における映像表示装置は、左右方向に対しても、表示ユニット１を連結して容易に組み立て可能である。
【００４６】
左右方向に隣接する表示ユニット１の連結機構を図１及び図２を参照して説明すると、左右の表示ユニット１，１の各対向側面に２組の連結具４，４がそれぞれ嵌着自在に渡着されて構成されている。
【００４７】
連結具４，４は、相手表示ユニット１との間でフック継手を形成するように、それぞれフック部４１と棒状の係止部４２とが対応して取り付けられている。
【００４８】
フック部４１は、六角穴を端面に形成した回動軸にフックが取り付けられて構成されているので、表示ユニット１の背面側から六角レンチ等を操作して、フックを相手側係止部４２に係止しての連結、あるいは連結の解除を行うことができる。
【００４９】
また、表示ユニット１の左右側壁面の中央部には、作業員が表示ユニット１を持ち運ぶことができるように、把手５が設けられている。
【００５０】
上記構成により、作業員が表示ユニット１を上に積み重ねようとするときには、まず下方に据え付けられる表示ユニット１の位置決めを行った後、その上に連結する表示ユニット１を把手５により持ち上げ、上下（鉛直）方向の位置合わせを行いつつ、上表示ユニット１を下表示ユニット１上に重ね合わせる。
【００５１】
これにより、上表示ユニット１の左右一対の係止片３２２の各係止孔３２２ａに、下表示ユニット１の各対応する連結ピン３１が挿入されるので、下表示ユニット１の連結ピン３１は、コイルばね３２２ｃに抗しつつ係止片３２２を後方に移動させながら進入し、連結ピン３１の溝３１ａに係止片３２２が嵌り込むので、自動的にロックされ連結される。
【００５２】
連結された上下表示ユニット１，１間を解除するときには、作業員は、例えばマイナスドライバでカム３２４を回動させ、コイルばね３２２ｃに抗しつつ係止片３２２を後方に移動させる。
【００５３】
この操作により、連結ピン３１は係止孔３２２ａの径大な孔に位置してロック状態から解放されるので、上表示ユニット１の鉛直上方向への持ち上げにより、上下両表示ユニット１，１を容易に引き離すことができる。
【００５４】
いずれにしても、この実施の形態の映像表示装置によれば、複数台の表示ユニットを上下方向に連結して表示画面を形成するのに、下表示ユニットの連結ピンを対応する上表示ユニットの係止孔に位置するように重ね合わせるだけで、容易に連結できるものであり、映像表示装置の組み立ての効率化を実現することができる。
【００５５】
【発明の効果】
本発明の映像表示装置によれば、複数台の表示ユニットを上下方向に容易に連結して高精度に組み立てることができるものであり、実用上得られる効果大である。
【図面の簡単な説明】
【図１】本発明による映像表示装置の一実施の形態を示した要部分解斜視図である。
【図２】図１に示した映像表示装置の要部を背面側から見た斜視図である。
【図３】図１に示した連結具３の分解斜視図である。
【図４】図３に示した連結具３における嵌め込み形状を説明した正面図である。
【図５】図５（ａ）は、図３に示した連結具３の連結ピンが嵌め込まれた状態を示した正面図、図５（ｂ）は、図３に示した連結具３において、連結ピンを抜き出し可能な状態を示した正面図である。
【図６】従来の映像表示装置を構成した表示ユニットの斜視図である。
【図７】図６に示した表示ユニットの背面側から見た斜視図である。
【図８】図６に示した表示ユニットにより連結構成されてなる映像表示装置の正面図である。
【符号の説明】
１  表示ユニット
１１  表示パネル
１１ａ  表示素子（ＬＥＤ）
１７  筐体
３  連結具
３１  連結ピン
３１ａ  溝
３２  係止部
３２２  係止片
３２２ｃ  コイルばね（ばね部材）
３２２ｄ  突出部
３２４  カム（カム機構）
４  連結具（連結機構）
４１  フック部
４２  係止部
５  把手
【図１】
2004354570.tif 000003
【図２】
2004354570.tif 000004
【図３】
2004354570.tif 000005
【図４】
2004354570.tif 000006
【図５】
2004354570.tif 000007
【図６】
2004354570.tif 000008
【図７】
2004354570.tif 000009
【図８】
2004354570.tif 000010